(57)【特許請求の範囲】
【請求項１】
遊技機前面に設けられた凹部に、灰皿を回動可能に支持する係止構造であって、
前記灰皿を前記遊技機に回動自在に支持する回動軸と、
遊技機前面から見てこの回動軸の水平方向のほぼ真後ろに設けられ前記灰皿の凹部側の側面から突出した突出部と、
前記凹部から前記灰皿側に突出して設けられ、前記灰皿が前記回動軸を回動の中心として前記凹部側に回動するとき前記突出部と係合し前記灰皿を係止する係止部と、
前記凹部近傍に設けられ、前記灰皿が前記凹部側に回動したとき、前記灰皿の一部に当接する当接部と、
から構成され、
前記係止部と前記突出部とのうち少なくとも何れか一方が弾性部材を含んで形成されていることを特徴とする遊技機用灰皿の係止構造。
【請求項２】
前記当接部は、前記灰皿が前記凹部側への所定位置以上に回動することを妨げる位置に設けられていることを特徴とする請求項１に記載の遊技機用灰皿の係止構造。
【請求項３】
前記当接部は、前記凹部の上部又は下部のうち少なくとも何れか一方に設けられていることを特徴とする請求項１又は２に記載の遊技機用灰皿の係止構造。
【請求項４】
前記当接部は、前記凹部の下部から前記凹部前方に延出した延出部であることを特徴とする請求項１〜３の何れかに記載の遊技機用灰皿の係止構造。
【請求項５】
前記当接部は、前記凹部の上部から前記凹部内方に向かって突出した凸部であることを特徴とする請求項１〜４の何れかに記載の遊技機用灰皿の係止構造。
【請求項６】
前記係止部と突出部とを形成する部材の弾性係数よりも当接部を形成する部材の弾性係数を高いものとすることを特徴とする請求項１〜５の何れかに記載の遊技機用灰皿の係止構造。
【請求項７】
前記係止部、前記突出部、前記当接部のうちの少なくとも一つは、硬質の芯材と、当該芯材よりも軟質な芯材を被覆する被覆部とにより形成されることを特徴とする請求項１〜６の何れかに記載の遊技機用灰皿の係止構造。
【請求項８】
前記突出部と前記係止部の何れか一方は、前記突出部と前記係止部とが係合するときに弾性変形可能な支持体に設けられいてることを特徴とする請求項１〜７の何れかに記載の遊技機用灰皿の係止構造。
【請求項９】
前記突出部と前記係止部との係合は点接触であることを特徴とする請求項１〜８の何れかに記載の遊技機用灰皿の係止構造。
【発明の詳細な説明】
【０００１】
【発明の属する技術分野】
本発明は、パチンコ機やスロットマシン等に設けられた遊技機用灰皿の係止構造に関する。
【０００２】
【従来の技術】
通常パチンコ機やスロットマシン等に代表される遊技機の前面には、煙草の灰や吸い殻を受ける灰皿（遊技機用灰皿）が設けられている。
【０００３】
この灰皿には、常時使用可能な灰皿と収納可能な灰皿との二種類があるが、双方とも煙草の灰や吸い殻を捨てやすくする為に灰皿の本体部分が自在に動くことができる構成となっているものが多い。
【０００４】
その構成として、例えば、特許第３１７１７６０号に記載されている灰皿係止構造が挙げられる。これによると、遊技機前面に設けられた灰皿収納部の後面から前方に突出した片持ち梁状の係止支持体が、その先端から上方に突出した係止体を、灰皿の底面に設けられた開口に嵌合させることにより、一定の外力以下では灰皿を転回させないように保持する構成となっている。すなわち、係合部と被係合部との係合により充分な係止状態を維持することができる。
【０００５】
さらに、特許第３１７１７６０号に記載の灰皿係止構造では、係止支持体が弾性部材で形成されている為、一定以上の外力を加えて灰皿を回動させる際に係止支持体が灰皿底面の動きに柔軟に対応することができる。そのため、灰皿収納部側の係合部と灰皿側の被係合部との接触面には、無理な力が加わることなく灰皿を回動させることができる。
【０００６】
【発明が解決しようとする課題】
ところで、上述した灰皿係止構造は、係止支持体が開口に嵌合することにより灰皿を係止させる構成をなしている。即ち、凸状の係止支持体が凹状の開口へ嵌り込んだ状態となることにより灰皿を係止する。
【０００７】
そのため、灰皿を係止させる動作を何度も繰り返し行っていると、係止支持体が磨り減ってしまう虞が生じる。そして、それに伴い灰皿を充分に係止できなくなる虞や、最悪の場合灰皿を係止できなくなる虞が生じる。
【０００８】
そこで、本発明は上述した事項に鑑みてなされたものであり、その解決しようとする課題は、耐久性に優れ、且つ灰皿内の収容物を容易に素早く除去可能な、即ち灰皿自体の操作性を高めた遊技機用灰皿の係止構造を提供することにある。
【０００９】
また、本発明は、係止性を高め灰皿内の収容物を不用意に溢れさせない確実性を向上させた遊技機用灰皿の係止構造を提供することを課題とする。
【００１０】
【課題を解決するための手段】
本発明は、前記事項を解決する為に以下の手段を採用した。
【００１１】
すなわち、本発明は、遊技機前面に設けられた凹部に、灰皿を回動可能に支持する係止構造であって、灰皿を遊技機に回動自在に支持する回動軸と、灰皿の凹部側の側面から突出した突出部と、凹部から前記灰皿側に突出して設けられ、灰皿が回動軸を回動の中心として凹部側に回動するとき突出部と係合し灰皿を係止する係止部と、凹部近傍に設けられ、灰皿が遊技機の凹部側に回動したとき、灰皿の一部に当接する当接部とから構成されている。
【００１２】
さらに、本発明における係止部と突出部とのうち少なくとも何れか一方は、弾性部材を含んで形成されている。
【００１３】
このように、係合部分である突出部と係止部とのうち少なくとも何れか一方が弾性を有する構成により、繰り返し係合動作を行っても、突出部、及び係止部は摩耗しにくくなる。それにより、係止構造の耐久性が向上し、これに伴い遊技機用灰皿の使用期間を長くすることができる。
【００１４】
また、係合部分である突出部と係止部とのうち少なくとも何れか一方が弾性を有する構成により、強い押圧力を必要とせずに確実、且つ容易に灰皿を係止することもできる。
【００１５】
また、当接部を設けたことにより、突出部と係止部との係合だけに頼ることなく遊技機用灰皿を係止することができる。これによって、遊技機用灰皿の係止を更に確実に行うことができる。
【００１６】
尚、当接部を遊技機用灰皿の底面側に設けた構成とすることにより、係止力が極めて向上する。
【００１７】
さらに、本発明における当接部は、灰皿が凹部側への所定位置以上に回動することを妨げる位置に設けられている。
【００１８】
このような構造とすることにより、遊技機用灰皿を所定の位置に係止させることができる。
【００１９】
また、本発明における当接部は、凹部の上部又は下部のうち少なくとも何れか一方に設けられている。
【００２０】
例えば、当接部が凹部の上部に設けられている場合、この当接部は、凹部内方に向かって突出した凸部とすることができる。また、当接部が凹部の下部に設けられている場合、この当接部は、凹部の下部から凹部前方に延出した延出部とすることもできる。何れの構成も、遊技機用灰皿が遊技機の背面方向へ所定位置以上の回動を妨げる効果をもたらす。尚、当接部は凹部の一部により形成される構成としても良いし、凹部とは別の部材により形成される構成としても良い。
【００２１】
さらに、本発明における当接部を、係止部、又は突出部の弾性係数が低い方の部材よりも、高い弾性係数を有する部材で形成してもよい。
【００２２】
例えば、係止部と突出部とを形成する部材の弾性係数よりも当接部を形成する部材の弾性係数を高いものとした場合、係止部と突出部との係合位置に関する精密度を低減させることができる。また、これに伴い遊技機全体の製造を容易にすることも可能となる。以下にその理由を説明する。
【００２３】
先ず、係止部と突出部とを係合させる為に灰皿を凹部側へ回動させると、灰皿の外底面は当接部に当接する。このとき、当接部は弾性部材である為、灰皿をより凹部側へ回動させると当接部は弾性変形を行う。
【００２４】
それによって、灰皿は所定位置よりも若干凹部側へ移動することができる。つまり、当接部が比較的硬質の弾性部材であることにより、ストッパとしての機能を維持しつつ灰皿の動作に余裕を設けることができる。
【００２５】
さらに、灰皿を凹部側へ回動させ、当接部に当接させ、弾性変形するまで灰皿を回動させた後、外力の付加が停止されると（手を離すと）、当接部は弾性力により再び元の位置に戻る。
【００２６】
そのため、係止部と突出部との係合位置を、灰皿の外底面が当接部に丁度接触する位置に対応して完全に一致させるという、製造に伴う精密性を低減させることができる。さらに、これに伴い強い外力の付加による破損の防止もできることになる。
【００２７】
また、係止部と突出部との係合位置を当接部が弾性変形したときに係合するような位置とすることにより、より確実な係合力を得ることができる。
【００２８】
また、本発明における係止部、突出部、当接部のうちの少なくとも一つは、硬質の芯材と、この芯材よりも軟質であって芯材を被覆する被覆部とにより形成された部材を用いるともできる。
【００２９】
さらに、本発明における突出部と係止部のうち少なくとも何れか一方は、突出部と係止部とが係合するときに弾性変形可能な支持体に設けられるような構成であっても良い。
【００３０】
【発明の実施の形態】
＜第一実施形態＞
以下、図面に基づいて本実施形態における灰皿係止構造の説明を行う。尚、本実施の形態では、遊技機として遊技球に弾球（パチンコ球）を使うパチンコ遊技機（以下、遊技機と称す）を例示する。
【００３１】
また、本実施の形態に示す遊技機は、風適法（風俗営業等の規則及び業務の適性化等に関する法律）の内規上「第1種」に区分される。
【００３２】
先ず初めに、以下の説明の便宜を図るため、遊技機の全体像を図１に基づき説明する。
【００３３】
本実施形態における遊技機２は、縦長な方形状の枠組みにて構成され、遊技機２の設置場所に強固に固定される外枠３と、その外枠３に一側を保持され、且つその外枠３に対して開閉自在に設けられた表枠４と、その表枠４の前面上部に開閉自在に設けられた窓枠５とを備え、その表枠４には、遊技性を構成する主要構成部品の略全てが集約されて設けられている。
【００３４】
表枠４に設けられる主要構成部品としては、盤面状が遊技領域とされる遊技盤６と、この遊技盤６の上部に弾球を打ち出す弾球打出装置７と、この弾球打出装置７を操作する為のハンドル８と、必要に応じて所定個数の弾球を排出する弾球払出ユニット（図示せず）と、各種装置の制御を行う制御装置（図示せず）と、遊技機２に供給すべき弾球、及び遊技機２より賞球として排出された弾球の一部を貯留する受皿９とが挙げられる。尚、本実施形態における受皿９は、従来の遊技機に設けられた上皿と下皿とが一体型に形成された受皿であるとしているが、その形状に限定するものではない。
【００３５】
そして、受皿９の左下方に灰皿１０が設けられている。詳細には、本実施形態における灰皿１０は遊技機２前面に設けられた凹部１５に取り付けられている。
【００３６】
以下、本実施形態における遊技機用灰皿の係止構造１について説明する。本実施形態における遊技機用灰皿の係止構造１は、灰皿１０自体の構造と、灰皿１０が取り付けられる凹部１５の構造とが組み合わさることによりなされている。そのため、先ず初めに本実施形態における灰皿１０の説明を行う。
【００３７】
図１、又は図２に示すように、本実施形態における灰皿１０は、内部が煙草の灰や吸い殻を収容する収容部１１となる箱状に形成されている。加えて、灰皿１０には前面となるべき側面側の上縁に吸いかけの煙草を置く為の窪み部１２が設けられている。
【００３８】
また、図３、及び図４に示すように、本実施形態における灰皿１０には、遊技機２に対して回動可能に灰皿１０を支持する回動軸１３と、灰皿１０の凹部１５側の側面、即ち灰皿１０の背面から突出した突出部１４とが設けられている。尚、この回動軸１３は、灰皿１０の左右の側面の略中央から外方へ突出して設けられており、凹部１５の内壁面に回動自在に支持されている。
【００３９】
尚、本実施形態における灰皿１０は、上述したように回動軸１３により遊技機２の正面方向（灰皿１０側）或いは背面方向（凹部１５側）に回動自在に支持されているが、遊技機の右側面方向、或いは左側面方向に回動する構成とすることもできる。
【００４０】
次に、遊技機用灰皿の係止構造１をなす凹部１５の構造を説明する。図３に示すように、凹部１５には、遊技機２の灰皿１０側に突出するように設けられた係止部１６と、凹部１５近傍に設けられ、灰皿１０が遊技機２の背面方向（凹部１５側）に回動したとき、灰皿１０の一部に当接する第一当接部１７と第二当接部１８とが設けられている。
【００４１】
さらに詳細に説明すると、係止部１６は、凹部１５の主面１５０から遊技機２前面に向かって垂直に突設されている突設部１９と、凹部１５の主面１５０から突設部１９の先端部２１へ向かって設けられ、突設部１９を支持する支持部２０とにより構成されている。
【００４２】
また、本実施形態における第一当接部１７は、凹部１５の下部から遊技機２前方に延出しており、第二当接部１８は、凹部１５の上縁に設けられ、且つ凹部１５内方に向かって突出している。
【００４３】
これにより、本実施形態における第一当接部１７、及び第二当接部１８は、灰皿１０が遊技機２の背面方向に所定の位置（灰皿１０の外底面が略水平となる位置）以上回動することを防ぐ役割を果たす。
【００４４】
尚、第一当接部１７と第二当接部１８とは、凹部１５の内壁の一部が延出したものであっても良いし、或いは別部材により形成されたものであってもよいとする。
【００４５】
また、本実施形態における係止部１６（即ち、突設部１９と支持部２０）と、突出部１４と、第一当接部１７は、弾性部材により形成されているとして説明する。尚、係止部１６又は突出部１４の何れか一方が弾性部材により形成されている構成であっても良い。
【００４６】
このように、係止部１６と突出部１４とが弾性部材により形成されていることにより、凹部１５前方側に回動させ、灰皿１０内に収容された煙草の吸い殻や灰等の収容物を除去するときに、係止部１６と突出部１４との係止がいきなり解除され灰皿１０の開口が急激に下方へ向くのを弾性力により阻止して、操作性を高めることが可能となる。
【００４７】
加えて、本実施形態では、第一当接部１７を形成する部材の弾性係数は、係止部１６、又は突出部１４を形成する部材の弾性係数よりも高いものとした。このことにより、第一当接部１７を形成する精密度を低減させることができる。また、これに伴い遊技機２全体の製造を容易にすることができる。
【００４８】
それは、係止部１６と突出部１４とを係合させる為に灰皿１０を凹部１５側へ回動させると、灰皿１０の外底面２３は第一当接部１７に当接する。
【００４９】
すると、第一当接部１７は弾性部材である為、灰皿１０をより凹部１５側へ回動させると第一当接部１７は弾性変形する。
【００５０】
それによって、灰皿１０は所定位置よりもほんの少しだけ凹部１５側へ移動することができる。つまり、第一当接部１７が弾性部材であることにより、灰皿１０の動作に遊びを設けることができる。
【００５１】
これによって、第一当接部１７の設計には、精密な技術を要することがなくなり、生産性が高まる。
【００５２】
さらに、灰皿１０を凹部１５側へ回動させ、第一当接部１７に当接させ、弾性変形するまで灰皿１０を回動させると、第一当接部１７は弾性力により再び元の位置に戻る。
【００５３】
また、凹部１５側と反対方向に回動させ、灰皿１０内の収容物を除去するときに、灰皿１０の開口部が急激に下方へ向くのを弾力性により阻止して、操作性を高めることが可能となる。
【００５４】
そのため、係止部１６と突出部１４との係合位置を、第一当接部１７が弾性変形したときに係合する位置に近づけることにより、確実な係合力を得ることができる。
【００５５】
また、本実施形態における係止部１６、突出部１４、第一当接部１７を形成するのに最も好ましい弾性部材として、合成樹脂や硬質ゴム等を挙げることができる。
【００５６】
次に、本実施形態における灰皿１０が係止される状態を説明する。先ず、図３に示すように、灰皿１０が係止されていないとき、灰皿１０は遊技機２の正面方向（図３中Ｊ方向）に回動軸１３を中心として回動する状態となっている。因みに、このときの灰皿１０は、第一当接部１７にも接触していない。即ち、回動軸１３のみが灰皿１０を支持している状態となっている。
【００５７】
そして、回動軸１３を中心として遊技機２の背面方向（図３中Ｋ方向）に灰皿１０を支持部２０が弾性変形するまで回動させると、図４に示すように、突出部１４と係止部１６とは係合した状態となる。
【００５８】
この係合状態は、灰皿１０が回動軸１３を中心として遊技機２の背面方向（図３中Ｋ方向）に回動するに伴い、突起した係止部１６及び突出部１４の端部同士が接触する過程を経てなり得る。
【００５９】
そして、灰皿１０をさらに回動させると、係止部１６の上方から回動してきた突出部１４が係止部１６を乗り越える。
【００６０】
すると、図４に示すように突設部１９の先端が灰皿１０の側面に接触した状態となる。この状態となるとき、突設部１９は、支持部２０の上方先端部を支点に突出部１４が移動した方向（図４中Ｌ方向）、即ち灰皿１０の底面方向に弾性変形する。
【００６１】
また、突出部１４と突設部１９とが上述したように係合している状態では、灰皿１０の外底面２３は第一当接部１７に当接して、灰皿１０が所定位置以上に回動することを妨げている。
【００６２】
さらに、突出部１４と突設部１９とが上述したように係合している状態では、灰皿１０の凹部１５側の側面における上端部２４が第二当接部１８に当接して、灰皿１０が所定位置以上に回動することを妨げている。
【００６３】
以上のように、突出部１４と突設部１９とが係合するとき、弾性部材による部位が弾性変形するため、灰皿１０の大きさや重さ、又は外力付加に順応した係止力を得ることができる。
【００６４】
また、係止部１６と第一当接部１７とに弾性部材を用いたことにより、係合動作による突出部１４と突設部１９との摩耗を極めて少なくすることができる。これは、遊技機用灰皿の係止構造１自体の耐久性を向上させることにも繋がる。
【００６５】
さらに、灰皿１０の凹部１５側の側面における上端部２４と第二当接部１８とが当接すること、及び灰皿１０の外底面２３と第一当接部１７とが当接することにより、灰皿１０が所定の位置よりも背面方向に回動してしまう状態を回避することができる。尚、本実施形態においては、第一当接部１７と第二当接部１８との二箇所の当接部を設けてあるが、何れか一方でも良い。
【００６６】
また、本実施形態における弾性部材は、図５に示すように、部材の内部、即ち芯材３０が硬質弾性部材にて形成されており、部材の外部、即ち被覆部３１が軟質弾性部材により形成されている構造であっても良い。尚、このような構造を突出部１４に適用すれば、更に前記摩耗を少なくし、耐久性を向上させることができるようになる。勿論、このような構造は突出部１４だけには限らない。
【００６７】
＜第二実施形態＞
次に、第二実施形態における遊技機用灰皿の係止構造の説明を行う。尚、本実施形態における遊技機も第一実施形態の遊技機と同様の構成である為、説明を省略する。また、本実施形態における遊技機用灰皿の係止構造の説明を行う際、説明の便宜を図る為、第一実施形態における遊技機用灰皿の係止構造と重複する部位の名称、及び符号は、第一実施形態中における部位の名称、及び符号と同様とする。
【００６８】
本実施形態における遊技機用灰皿の係止構造は、第一実施形態における遊技機用灰皿の係止構造と同様、灰皿自体の構造と、灰皿が取り付けられる凹部の構造とが組み合わさることによりなされている。そのため、先ず初めに本実施形態における灰皿の説明を行う。
【００６９】
図１、及び図２に示すように、本実施形態における灰皿１０は、内部が煙草の灰や吸い殻を収容する収容部１１となる箱状に形成されている。加えて、灰皿１０には前面となるべき側面側の上縁に吸いかけの煙草を置く為の窪み部１２が設けられている。
【００７０】
また、図６、及び図７に示すように、本実施形態における灰皿１０には、遊技機２に対して回動可能に灰皿１０を支持する回動軸１３と、灰皿１０の凹部１５側の側面、即ち灰皿１０の背面から突出した突出部１４とが設けられている。尚、この回動軸１３は、灰皿１０の左右の側面の略中央から外方へ突出して設けられている。
【００７１】
次に、遊技機用灰皿の係止構造１をなす凹部１５の構造の説明を行う。図６、及び図７に示すように、凹部１５には、遊技機２の前面方向に突出するように設けられた係止部１６が設けられている。
【００７２】
また、凹部１５の近傍には灰皿１０が遊技機２の背面方向に回動したとき、灰皿１０の一部に当接する当接部１７とが設けられている。
【００７３】
さらに詳細に説明すると、係止部１６は、凹部１５の主面１５０から遊技機２前面に向かって垂直に突設されている突設部１９と、凹部１５の主面１５０から突設部１９の先端部２１へ向かうように設けられ、突設部１９を支持する支持部２０とにより構成されている。
【００７４】
また、当接部１７は凹部１５の下部から遊技機２前方に延出して設けられている。即ち、本実施形態における当接部１７は、灰皿１０を支える位置であり、且つ灰皿１０が遊技機２の背面方向への所定位置以上の回動を妨げる働きをする。
【００７５】
尚、この当接部１７は、凹部１５の内壁の一部が延出したものと考えることも可能であるが、本実施形態における当接部１７は凹部１５とは別の部材で形成されているものとする。
【００７６】
また、本実施形態における突設部１９と接触する突出部１４の一部と突設部１９の先端部２１とは、弾性部材により形成されている。
【００７７】
即ち、凹部１５側の灰皿１０の一部側面と突出部１４とは、別の部材で構成されており、突設部１９の先端部２１と基端とは、別の部材で構成されている。本実施形態における弾性部材も第一実施形態と同様に合成樹脂や硬質ゴムであることが好ましい。
【００７８】
次に、本実施形態における灰皿１０が係止される状態の説明を行う。先ず、図６に示すように、灰皿１０が係止されていないとき、灰皿１０は回動軸１３を中心として遊技機２の正面方向（図６中Ｊ方向）に回動する状態となっている。因みに、このときの灰皿１０は、当接部１７にも接触していない。即ち、回動軸１３のみが灰皿１０を支持した状態となっている。
【００７９】
そして、遊技機２の背面方向（図６中Ｋ方向）に灰皿１０が回動すると、図７に示すように、突出部１４と係止部１６とが係合した状態をなす。
【００８０】
この係合状態は、灰皿１０が遊技機２の背面方向（図６中Ｋ方向）に回動するに伴い、突起した係止部１６及び突出部１４の端部同士が接触する過程を経ることによりなり得る。
【００８１】
そして、図７に示すように、灰皿１０をさらに回動させると、係止部１６の上方から移動してきた突出部１４が係止部１６を乗り越える。
【００８２】
すると、突設部１９の先端部２１は、灰皿１０の側面に接触した状態となる。この状態のとき、突設部１９の先端部２１、即ち弾性部材で形成されている部分が、突出部１４の移動方向（図７中Ｌ方向）に弾性変形する。尚、突出部１４もわずかではあるが、接触時における衝撃を吸収するように前記移動方向と反対方向に弾性変形する。
【００８３】
また、突出部１４の端部と突設部１９の先端部２１とが上述したように係合している状態のとき、灰皿１０の外底面２３は当接部１７に接触している。即ち、灰皿１０は当接部１７に支持されている。
【００８４】
以上のように、突出部１４と突設部１９の先端部２１とが係合するとき、係合部位のみが弾性変形するため、灰皿１０自体の強度を変化させることなく、安定した係止力を得ることができる。
【００８５】
また、本実施形態における突出部１４と突設部１９の先端部２１を形成する弾性部材が、着脱自在な構成とすることもできる。このような構成とすることにより、弾性部材が摩耗し係止力が低下しても、新たな弾性部材を取り付けることにより低下した係止力を元の係止力に戻すことが可能となる。
【００８６】
＜第三実施形態＞
次に、第三実施形態における遊技機用灰皿の係止構造１の説明を行う。尚、本実施形態における遊技機２も第一実施形態、及び第二実施形態の遊技機２と同様の構成である為説明を省略する。
【００８７】
また、本実施形態における遊技機用灰皿の係止構造１の説明を行う際、説明の便宜を図る為、第一実施形態、及び第二実施形態における遊技機用灰皿の係止構造１と重複する部位の名称、符号は、第一実施形態、及び第二実施形態中における部位の名称、符号と同様とする。
【００８８】
本実施形態における遊技機用灰皿の係止構造は、第一実施形態、及び第二実施形態における遊技機用灰皿の係止構造１と同様、灰皿自体の構造と、灰皿が取り付けられる凹部の構造とが組み合わさることによりなされている。そのため、先ず初めに本実施形態における灰皿の説明を行う。
【００８９】
図１、及び図２に示すように、本実施形態における灰皿１０は、内部が煙草の灰や吸い殻を収容する収容部１１となる箱状に形成されている。加えて、灰皿１０には前面となるべき側面側の上縁に吸いかけの煙草を置く為の窪み部１２が設けられている。
【００９０】
また、図８、及び図９に示すように、本実施形態における灰皿１０には、遊技機２に対して回動可能に灰皿１０を支持する回動軸１３と、灰皿１０の凹部１５側の側面から突出し、傾斜面を有する突出部１４とが設けられている。
【００９１】
この突出部１４は、灰皿１０の外底面２３側から灰皿１０の開口側に向かって傾斜する傾斜面２６と、傾斜面２６の上端部２１側の端部から灰皿１０の側面へ垂直方向に設けられた面板部２７とにより構成されている。
【００９２】
また、本実施形態における回動軸１３は、第一実施形態、第二実施形態、第三実施形態と同様に、灰皿１０の左右の側面の略中央から外方へ突出して設けられている。
【００９３】
次に、遊技機用灰皿の係止構造１をなす凹部１５構造の説明を行う。図８、及び図９に示すように、凹部１５には、遊技機２の前面方向に突出するように設けられた係止部１６設けられている。また、凹部１５近傍には灰皿１０が遊技機２の背面方向（凹部１５側、図８中Ｋ方向）に回動したとき、灰皿１０の外底面２３に当接する当接部１７とが設けられている。
【００９４】
さらに詳細に説明すると、係止部１６は、凹部１５の主面１５０から遊技機２前面に向かって垂直に突設されている突設部１９と、凹部１５の主面１５０から突設部１９の端部へ向かうように設けられ、突設部１９を支持する支持部２０とにより構成されている。
【００９５】
また、本実施形態における当接部１７は、凹部１５の下部から遊技機２前方に延出して設けられている。即ち、本実施形態における当接部１７も、第一実施形態における第一当接部１７、及び第二実施形態における当接部１７と同様に灰皿１０の外底面２３を支える位置に設けられ、灰皿１０が遊技機２の背面方向（図８中Ｋ方向）への所定位置以上の回動を妨げる働きをする。
【００９６】
また、本実施形態における突設部１９と接触する突出部１４とは、弾性部材により形成されている。勿論、突設部１９と突出部１４との全体を弾性部材で形成せずとも、突設部１９と突出部１４とが係合する部位のみを弾性部材で形成する構成としてもよい。
【００９７】
尚、本実施形態における弾性部材も第一実施形態、及び第二実施形態における弾性部材と同様に合成樹脂や硬質ゴムであることが好ましい。
【００９８】
次に、本実施形態における灰皿１０が係止される状態の説明を行う。先ず、図８に示すように、灰皿１０が係止されていないとき、灰皿１０は回動軸１３を中心として遊技機２の正面方向（図８中Ｊ方向）に回動する状態となっている。因みに、このときの灰皿１０は、当接部１７にも接触していない。即ち、回動軸１３のみが灰皿１０を支持した状態となっている。
【００９９】
そして、遊技機２の背面方向（図８中Ｋ方向）に灰皿１０が回動することにより灰皿１０は係止される。図９に示すように、灰皿１０が係止されたとき、突出部１４と係止部１６とは係合した状態をなしている。
【０１００】
この係合状態は、先ず初めに灰皿１０が遊技機２の背面方向（図８中Ｋ方向）に回動するに伴い、突設部１９と突出部１４を構成する傾斜面２６とが接触する過程を経ることによりなり得る。
【０１０１】
さらに、灰皿１０をさらに回動させると、突設部１９は、灰皿の開口側へ傾斜する傾斜面２６を伝っていく。このとき突設部１９と突出部１４とは、互いに弾性変形している。この突設部１９は、突出部１４の移動方向（図９中Ｌ方向）に弾性変形し、突出部１４は突設部１９の延出方向（図９中Ｍ方向）に弾性変形する。勿論、係止部１６全体が弾性部材で形成されている為、突設部１９が弾性変形するに伴い支持部２０も突設部１９の移動方向（図９中Ｌ方向）へ弾性変形している。
【０１０２】
そして、突設部１９が傾斜面２６の最端部まで到達すると、突設部１９は面板部２７側へスライドする。即ち、突設部１９が傾斜面２６を乗り越えた状態となる。このとき、互いに弾性変形していた突出部１４と突設部１９とは、互いを付勢する力が除去される為、変形前の位置（形状）に戻る。この状態が、本実施形態における係合状態である。
【０１０３】
また、突出部１４と突設部１９とが上述したように係合している状態のとき、灰皿１０の外底面２３は当接部１７に接触している。即ち、灰皿１０は当接部１７により支持された状態となる。
【０１０４】
以上のように、灰皿１０の外底面２３から灰皿１０の開口側に向かって傾斜する傾斜面２６を設けたことにより、突設部１９は傾斜面２６を伝い容易に突出部１４と係合することができる。
【０１０５】
また、突出部１４と突設部１９とが弾性部材により形成されている為、多少の振動や衝撃は弾性部材により吸収される。それによって、ガタつきが防止され、灰皿１０を安定して固定することができる。
【０１０６】
＜第四実施形態＞
次に、第四実施形態における遊技機用灰皿の係止構造の説明を行う。尚、本実施形態における遊技機も第一実施形態、第二実施形態、第三実施形態の遊技機と同様の構成である為説明を省略する。また、本実施形態における遊技機用灰皿の係止構造の説明を行う際、説明の便宜を図る為、第一実施形態、第二実施形態、第三実施形態における遊技機用灰皿の係止構造と重複する部位の名称、及び符号は、第一実施形態、第二実施形態、第三実施形態中における部位の名称、及び符号と同様とする。
【０１０７】
本実施形態における遊技機用灰皿の係止構造は、第一実施形態における遊技機用灰皿の係止構造と同様、遊技機用灰皿自体の構造と、遊技機用灰皿が取り付けられる凹部の構造とが組み合わさることによりなされている。そのため、先ず初めに本実施形態における灰皿の説明を行う。
【０１０８】
図１、及び図２に示すように、本実施形態における灰皿１０は、内部が煙草の灰や吸い殻を収容する収容部１１となる箱状に形成されている。加えて、灰皿１０には前面となるべき側面側の上縁に吸いかけの煙草を置く為の窪み部１２が設けられている。
【０１０９】
また、図１０、及び図１１に示すように、本実施形態における灰皿１０には、遊技機２に対して回動可能に灰皿１０を支持する回動軸１３と、灰皿１０の凹部１５側の側面、即ち灰皿１０の背面から突出した第一突出部１４と第二突出部２８とが設けられている。尚、この回動軸１３は、灰皿１０の左右の側面の略中央から外方へ突出して設けられている。
【０１１０】
次に、遊技機用灰皿の係止構造１をなす凹部１５の構造の説明を行う。図１０、及び図１１に示すように、凹部１５には、主面１５０の略中央から遊技機２の前面方向へ突出するように設けられた第一係止部１６と、灰皿１０の上端部２４側に位置し、遊技機２の前面方向に突出するように設けられた第二係止部２９とが設けられている。また、凹部１５近傍には、灰皿１０が遊技機２の背面方向（図１０中Ｋ方向）に回動したとき、灰皿１０の外底面２３に当接する当接部１７が設けられている。
【０１１１】
さらに詳細に説明すると、第一係止部１６は、凹部１５の主面１５０から遊技機２前面に向かって垂直に突設されている突設部１９と、凹部１５の主面１５０から突設部１９の先端部２１へ向かうように設けられ、突設部１９を支持する支持部２０とにより構成されている。
【０１１２】
また、第二係止部２９は、凹部１５の上縁部３２から所定のスペースを空けた内壁から突出している。そして、この第二係止部２９の端部は凹部１５の開口側に向いている。即ち、第二係止部２９は全体が鍵状に形成されている。
【０１１３】
さらに、当接部１７は凹部１５の下部から遊技機２前方に延出して設けられている。即ち、本実施形態における当接部１７は、灰皿１０の外底面２３を支える位置であり、且つ灰皿１０が遊技機２の背面方向（図１０中Ｋ方向）への所定位置以上の回動を妨げる働きをする。
【０１１４】
尚、この当接部１７は、凹部１５の内壁の一部が延出したものと考えることも可能であるが、本実施形態における当接部１７は凹部１５とは別の部材で形成されているものとする。
【０１１５】
また、本実施形態における第一突出部１４、第二突出部２８、突設部１９（第一係止部１６）、第二係止部２９は弾性部材により形成されている。
【０１１６】
そして、本実施形態における弾性部材も第一実施形態と同様に合成樹脂や硬質ゴムであることが好ましい。
【０１１７】
次に、本実施形態における灰皿１０が係止される状態の説明を行う。先ず、図１０に示すように、灰皿１０が係止されていないとき、灰皿１０は回動軸１３を中心として遊技機２の正面方向（図１０中Ｊ方向）に回動する状態となっている。因みに、このときの灰皿１０は、当接部１７にも接触していない。即ち、回動軸１３のみが灰皿１０を支持した状態となっている。
【０１１８】
そして、遊技機２の背面方向（図１０中Ｋ方向）に灰皿１０が回動すると、図１１に示すように、第一突出部１４と第一係止部１６、並びに第二突出部２８と第二係止部２９とが係合した状態をなす。
【０１１９】
この係合状態は、灰皿１０が遊技機２の背面方向（図１０中Ｋ方向）に回動するに伴い、突起した第一係止部１６及び第一突出部１４の端部同士、並びに第二係止部２９及び第二突出部２８が接触する過程を経ることによりなり得る。
【０１２０】
そして、灰皿１０をさらに回動させると、図１１に示すように、第一突出部１４が突設部１９（第一係止部１６）を乗り越える。それと共に、第二突出部２８が第二係止部２９と凹部１５の上縁部３２との間に入り込み、第二係止部２９を凹部１５内方へ押圧する。
【０１２１】
すると、突設部１９の先端部２１は、灰皿１０の側面に接触した状態となる。この状態のとき、突設部１９の先端部２１及び支持部２０、即ち弾性部材で形成されている部分が、第一突出部１４の移動方向（図１１中Ｌ方向）に弾性変形する。
【０１２２】
また、第二突出部２８が第二係止部２９を押圧し、第二係止部２９と凹部１５の上縁部３２とが形成するスペースに嵌り込んだ状態では、第二係止部２９は、凹部１５の内方（図１１中Ｎ方向）、即ち第二突出部２８の移動方向に向かって弾性変形する。
【０１２３】
さらに、第一突出部１４の端部と突設部１９の先端部２１とが、上述したように係合している状態のとき、灰皿１０の外底面２３は当接部１７に接触している。即ち、灰皿１０は当接部１７にも支持されている。
【０１２４】
以上のように、本実施形態の係止構造によれば、第一突出部１４と突設部１９（第一係止部１６）との係合、及び第二突出部２８と第二係止部２９との係合、即ち二箇所で灰皿１０を係合している為、信頼性の高い係止力を得ることが可能となる。
【０１２５】
また、突設部１９（第一係止部１６）が第一突出部１４の移動方向（図１１中Ｌ方向）に弾性変形されたとき、突設部１９は、塑性しようとする方向（即ち、図１０中のＬとは反対の方向）に力を生じる。
【０１２６】
さらに、第二係止部２９が第二突出部２８を押圧し係合するとき、第二係止部２９は、第二突出部２８による押圧力に対抗した力（抗力）を発生させている。
【０１２７】
すると、第一突出部１４及び第二突出部２８は、上述した二つの力（突設部１９が塑性しようとする方向に働く力、及び第二突出部２８の押圧力に対抗した力）により押し広げられた状態となる。言い換えれば、第一突出部１４と第二突出部２８とが、突設部１９（第一係止部１６）と第二係止部２９とを挟持している状態ということができる。
【０１２８】
即ち、本実施形態では、第一突出部１４と第二突出部２８が、突設部１９と第二係止部２９とを挟持することにより、灰皿１０が係止される。
【０１２９】
このように、第一突出部１４と第二突出部２８が、突設部１９と第二係止部２９とを挟持する構成である為、より確実性の高い係止力を得ることができる。
【０１３０】
【発明の効果】
以上のことにより、本発明によれば、耐久性に優れた遊技機用灰皿の係止構造を提供することが可能となる。
【０１３１】
また、本発明によれば、係止性を高めた遊技機用灰皿の係止構造を提供することができる。
【図面の簡単な説明】
【図１】第一実施形態における遊技機の斜視図を示す。
【図２】図１におけるＡの要部拡大図を示す。
【図３】第一実施形態における遊技機用灰皿の係止前の状態を示す。
【図４】第一実施形態における遊技機用灰皿の係止後の状態を示す。
【図５】弾性部材の変形例を示す。
【図６】第二実施形態における遊技機用灰皿の係止前の状態を示す。
【図７】第二実施形態における遊技機用灰皿の係止後の状態を示す。
【図８】第三実施形態における遊技機用灰皿の係止前の状態を示す。
【図９】第三実施形態における遊技機用灰皿の係止後の状態を示す。
【図１０】第四実施形態における遊技機用灰皿の係止前の状態を示す。
【図１１】第四実施形態における遊技機用灰皿の係止後の状態を示す。
【符号の説明】
１  係止構造
２  遊技機（パチンコ遊技機）
３  外枠
４  表枠
５  窓枠
６  遊技盤
７  弾球打出装置
８  ハンドル
９  受皿
１０  灰皿（遊技機用灰皿）
１１  収容部
１２  窪み部
１３  回動軸
１４  突出部（第一突出部）
１５  凹部
１６  係止部（第一係止部）
１７  第一当接部（当接部）
１８  第二当接部
１９  突設部
２０  支持部
２１  先端部
２３  外底面
２４  上端部
２６  傾斜面
２７  面板部
２８  第二突出部
２９  第二係止部
３０  芯材
３１  被覆部
３２  上縁部
１５０  主面
【図１】
0003843229.tif 000002
【図２】
0003843229.tif 000003
【図３】
0003843229.tif 000004
【図４】
0003843229.tif 000005
【図５】
0003843229.tif 000006
【図６】
0003843229.tif 000007
【図７】
0003843229.tif 000008
【図８】
0003843229.tif 000009
【図９】
0003843229.tif 000010
【図１０】
0003843229.tif 000011
【図１１】
0003843229.tif 000012